(57)【特許請求の範囲】
【請求項１】
上位装置に接続された通帳取扱装置であって、
通帳の挿入を受け付ける挿入部と、
前記上位装置から前記通帳を頁替させるための頁替指示情報と、前記通帳の頁に印字するための印字情報とを含む通帳指示情報を受信する通信部と、
前記通帳取扱装置の種類に共通したアプリケーションである基本ソフトと、前記通帳取扱装置の種類に固有のアプリケーションである固有ソフトと、前記通帳の頁への前記印字情報の印字が完了したことを示すフラグ情報とを記憶する記憶部と、
前記通帳の頁を捲る頁捲り機構と、
前記通信部が前記印字情報を受信した場合に前記通帳の頁に印刷するとともに前記フラグ情報を設定し、前記通信部が前記頁替指示情報を受信した場合に、前記基本ソフトを実行させることにより、前記フラグ情報が設定されているか否かを判定し、前記フラグ情報が設定されていないと判定した場合に、前記頁替指示情報にしたがって前記頁捲り機構による前記通帳の頁捲りのリトライを制御する制御部と、
を備えたことを特徴とする通帳取扱装置。
【請求項２】
前記制御部は、前記頁替指示情報が順方向への頁替であるか否かを判定し、判定した結果に従って前記通帳の頁の捲り方向を定める、
ことを特徴とする請求項１に記載の通帳取扱装置。
【請求項３】
前記制御部は、前記頁替指示情報が順方向への頁替であると判定した場合であって、前記フラグ情報が設定されていない場合には、異常な頁捲りであると判定し、前記通帳の頁を順方向に低速で捲るように前記頁捲り機構を制御する、
ことを特徴とする請求項２に記載の通帳取扱装置。
【請求項４】
前記制御部は、前記頁替指示情報が順方向への頁替ではないと判定した場合、異常な頁捲りであると判定し、前記通帳の頁を逆方向に低速で捲るように前記頁捲り機構を制御する、
ことを特徴とする請求項２に記載の通帳取扱装置。
【請求項５】
前記制御部は、前記通帳指示情報に前記通帳の繰越情報が含まれているか否かを判定し、前記通帳指示情報に前記通帳の繰越情報が含まれていると判定した場合、前記通帳の頁が異常な頁捲りであっても、通常の速度で前記通帳の頁を捲るように前記頁捲り機構を制御する、
ことを特徴とする請求項２〜４のいずれか１項に記載の通帳取扱装置。
【請求項６】
前記通帳取扱装置は、前記上位装置である現金自動取引装置に接続され、
前記制御部は、前記通信部が前記現金自動取引装置から前記通帳指示情報を受けた場合に、前記頁捲り機構による前記通帳の頁捲りを制御する、
ことを特徴とする請求項１〜５のいずれか１項に記載の通帳取扱装置。
【請求項７】
前記通帳取扱装置は、前記現金自動取引装置およびネットワークを介して前記現金自動取引装置を管理するセンタに接続され、前記通信部が、前記センタから前記通帳指示情報を受けた場合に、前記頁捲り機構による前記通帳の頁捲りを制御する、
ことを特徴とする請求項６項に記載の通帳取扱装置。
【発明の詳細な説明】
【技術分野】
【０００１】
本発明は、例えば、銀行などの金融機関で使用される通帳に、取引情報を印字する通帳取扱装置に関するものである。
【背景技術】
【０００２】
従来、銀行の支店等に設置された現金自動預払い機（ＡＴＭ：Automated  teller  machine）が通帳に印字する場合、一般に印字済みの行数を計数した上で印字を開始する。この場合、通帳の印字行のうちの最終印字行と、メモリ等にあらかじめ記憶された１頁あたりの通帳印字行数とを比較して、通帳が全行印字済みになったと判定された場合に通帳を頁替している。そして、どの頁まで頁替したかを判定するために、通帳の頁の一部に予め設けられた頁マークを読み取って印字している頁をＡＴＭ内の記憶部に記憶し、頁捲りされた後、読み取られた頁マークと、あらかじめＡＴＭ内に記憶された頁マークとを比較して頁替え後の頁の良否を判定している。
【０００３】
そして、頁替え後の頁が正しくない（例えば、二枚捲り）と判断した場合、センタ等の上位装置が通帳取り扱い装置に逆方向頁替えを指示したり、あるいは捲り前の頁と同じ頁のまま捲れていない場合には、センタ等の上位装置が通帳取り扱い装置に順頁捲りを指示するなど、頁捲りについてのリトライ処理が行われる。このリトライ処理では、通帳に対して同じ捲り動作を繰り返してもめくりが失敗に終わるケースが多く、それまでとは異なる捲り方式を取ることにより、頁捲りの信頼性を確保している場合が多い。
【０００４】
近年、ＡＴＭの制御を簡素化するために、ＡＴＭ内に通帳の頁マーク順序を記憶せずに頁捲りの良否判定をセンタ側で行うケースが増加している。この方式では、通帳の頁マーク順序を変更してもＡＴＭの変更が不要であり、上位装置プログラムの設定だけで対応可能であるという利点がある。しかしながら、頁めくりが失敗した際のＡＴＭに対する制御（例えば、頁替えのリトライ）は、ＡＴＭや通帳のページを捲る通帳取扱装置のプログラム自体が複雑化したり、多数あるＡＴＭや通帳取扱装置の種類ごとにアプリケーションが必要となってしまうという問題がある。
【０００５】
このような制御の複雑さを回避するために、ＡＴＭ側に専用のハードウェアを付加してリトライの信頼性を高めようとする例もある。例えば、特許第４３６９３４６号に公報されている技術にあっては、頁替えの際の捲られる頁の姿勢をセンサにより監視し、姿勢が不適であると判断した際は頁替えを中止し、リトライを行っている。
【先行技術文献】
【特許文献】
【０００６】
【特許文献１】特許第４３６９３４６号公報
【発明の概要】
【発明が解決しようとする課題】
【０００７】
しかしながら、上述した従来技術では、いずれの場合もＡＴＭの種類に応じてアプリケーションのインストール、あるいはハードウェアの設定が必要となり、頁捲りに対するリトライ制御が容易ではないという問題がある。すなわち、ＡＴＭの種類に応じてソフトウェアの変更やハードウェアの設定をする必要があり、容易に頁捲りに対するリトライ制御ができないという問題があった。
【０００８】
本発明は、上記に鑑みてなされたものであって、ＡＴＭのソフトウェアやハードウェアの種類に依存することなく容易に頁捲りに対するリトライ制御を可能とする通帳取扱装置を提供することを目的とする。
【課題を解決するための手段】
【０００９】
上述した課題を解決し、目的を達成するために、本発明にかかる通帳取扱装置は、上位装置に接続された通帳取扱装置であって、通帳の挿入を受け付ける挿入部と、前記上位装置から前記通帳を頁替させるための頁替指示情報と、前記通帳の頁に印字するための印字情報とを含む通帳指示情報を受信する通信部と、前記通帳取扱装置の種類に共通したアプリケーションである基本ソフトと、前記通帳取扱装置の種類に固有のアプリケーションである固有ソフトと、前記通帳の頁への前記印字情報の印字が完了したことを示すフラグ情報とを記憶する記憶部と、前記通帳の頁を捲る頁捲り機構と、前記通信部が前記印字情報を受信した場合に前記通帳の頁に印刷するとともに前記フラグ情報を設定し、前記通信部が前記頁替指示情報を受信した場合に、前記基本ソフトを実行させることにより、前記フラグ情報が設定されているか否かを判定し、前記フラグ情報が設定されていないと判定した場合に、前記頁替指示情報にしたがって前記頁捲り機構による前記通帳の頁捲りのリトライを制御する制御部と、を備えたことを特徴とする。
【発明の効果】
【００１０】
本発明によれば、ＡＴＭのソフトウェアやハードウェアの種類に依存することなく容易に頁捲りに対するリトライ制御を可能とする通帳取扱装置を提供することができる。
【図面の簡単な説明】
【００１１】
【図１】通帳取扱装置の構成および通帳構成図である。
【図２Ａ】通帳の頁面に印刷された情報の例を示す図である。
【図２Ｂ】通帳の表紙・裏面に印刷された情報の例を示す図である。
【図３】頁替機構部の構成を示す図である。
【図４】頁替機構部が通帳の頁替をする様子を示す図である。
【図５】頁替機構部が通帳の頁替をする様子を示す図である。
【図６】頁替機構部が通帳の頁替をする様子を示す図である。
【図７Ａ】通帳取扱装置の制御回路ブロック図である。
【図７Ｂ】制御部が実行するソフトウェアの構成の例を示す図である。
【図８】頁替処理の処理手順を示すフローチャートである。
【図９】頁替処理の処理手順の変形例を示すフローチャートである。
【発明を実施するための形態】
【００１２】
以下に添付図面を参照して、本発明にかかる通帳取扱装置の実施の形態を詳細に説明する。以下では、金融機関に採用されている、例えばＡＴＭ（Automated  teller  machine）に搭載されている通帳取扱装置について説明しているが、冊子状の媒体の頁捲りに対するリトライ制御を行う装置であれば、これに限定されるものではない。
【００１３】
図１は、本実施の形態における通帳取扱装置１の構成を示す図である。図１に示すように、通帳取扱装置１は、通帳２を挿入するための通帳挿入口３と、挿入された通帳を後述する頁替機構部８まで搬送するための搬送路４と、あらかじめ通帳２に印刷された磁気ストライプを読み取るための磁気ヘッド５と、通帳の頁の印字行を読み取るための印字行読取センサ６と、残高や入出金金額等の所定の情報を通帳の頁に印字するための印字ヘッド７と、上位装置からの頁替え指示により通帳２の頁替を行う頁替機構部８と、制御部２３と、を含んで構成されている。なお、制御部２３は、ＣＰＵ（Central  Processing  Unit）等の演算装置から構成され、通帳取扱装置１の各部の動作を制御する。
【００１４】
通帳取扱装置１は、利用者から通帳２が通帳挿入口３に挿入されると、挿入された通帳２を通帳搬送路４を介して内部に取り込み、その搬送途中で、磁気ヘッド５によって通帳２のあらかじめ記録された磁気ストライプ８の記録内容を読み取るとともに、印字行読み取りセンサ６により通帳２のあらかじめ印字された頁バーコード９および取引印字１０を読み取る。
【００１５】
図２Ａは、通帳２の頁面に印刷された情報の例を示す図である。図２Ａに示すように、通帳２の頁面には、頁数を示す頁バーコード９と、取引内容を示す取引印字情報１０（図２Ａに示した例では、取引日付）とが印字されている。
【００１６】
また、図２Ｂは、通帳２の表紙・裏面に印刷された情報の例を示す図である。図２Ｂに示すように、通帳２の表面または裏面（図２Ｂの例では裏面）には、通帳２を識別するための磁気ストライプ１１が印字されている。
【００１７】
図３は、上述した頁替機構部８の構成を示す図である。図３に示すように、頁替機構部８は、捲り位置基準センサ１２と、順頁替ローラ１３と、逆頁替ローラ１４と、可動搬送ガイド１５と、搬送ローラ１６とを有している。
【００１８】
捲り位置基準センサ１２は、搬送路４上を搬送されてきた通帳２が所定の頁捲り位置にあるか否かを検知するものである。順頁替ローラ１３は、通帳２の頁を順方向に頁捲りするためのローラである。また、逆頁替ローラ１４は、通帳２の頁を逆方向に頁捲りするためのローラである。制御部２３は、捲り位置基準センサ１２が、通帳２が所定の頁捲り位置に搬送されたことを検知すると、可動搬送ガイド１５を、閉位置から開位置まで移動させる。なお、搬送ローラ１６は、通帳２を進行方向または逆方向に搬送させるためのローラである。
【００１９】
図４〜図６は、頁替機構部８が通帳２の頁替をする様子を示す図である。図４に示すように、まず、制御部２３は、通帳２が所定の頁捲り位置に搬送されると、順頁替ローラ１３を正頁替えローラ回転方向２１の方向（図４に示す例では時計回りの方向）に回転させる。順頁替ローラ１３がその方向に回転すると、正頁替えローラ凹部２２が通帳２の中紙２０（通帳２の、ある頁）の端に当接し、順頁替ローラ１３は、そのまま中紙２０を保持したまま回転方向に回転する。その後、図４および図５に示すように、中紙２０が捲れ上がり、最終的には、図６に示したように、中紙２０は反対側の頁まで捲られることとなる。
【００２０】
なお、正頁替えローラ１３の回転速度は、通常速度と低速度の２段階を選択可能としており、上位装置から頁捲りの指示を受け、後述する処理によって頁捲りのリトライをする場合には、中紙２０と正頁替えローラ１３の摩擦力をより多く確保して確実に頁を捲るため、低速度で回転させる。
【００２１】
図７Ａは、通帳取扱装置１の制御回路ブロック図である。図７に示すように、ＣＰＵ（制御部）２３は、ＲＯＭ２４に格納されたプログラムに従って各回路装置を制御し、その際に生成した各種の制御データをＲＡＭ２５で読み出し可能に記憶する。上位通信Ｉ／Ｆ２６は、上位装置であるＡＴＭの制御部（ＡＴＭ制御部２８）から、通信回線２７を介してコマンドを受信し、そのコマンドをＲＡＭ２５に読み出し可能に記憶する。また、そのコマンドの実行結果をＲＡＭ２５から読み出し、上位通信Ｉ／Ｆ２６および通信回線２７を介してＡＴＭ制御部２８に送る。
【００２２】
上位通信Ｉ／Ｆ２６は、ＡＴＭ制御部２８から通信回線２７を経由して通帳２を吸入する指令を受け取り、通帳２が搬送路４内を移動する際に、磁気ヘッド５が通帳２の磁気ストライプ１０に記録された磁気信号を読み取る。そして、磁気ヘッド５で読み取った磁気信号はアンプ２９で増幅され、制御部２３は、続いてＡ／Ｄコンバータ３０でアナログデジタル変換してＲＡＭ２５に記憶させる。その後、制御部２３は、デジタル変換された磁気信号を解析し、磁気ストライプ１０に記録された情報をＲＡＭ２５に記憶する。制御部２３は、ＲＡＭ２５に記憶された磁気ストライプ１０に記録された情報を、上位通信Ｉ／Ｆおよび通信回線２７を介してＡＴＭ制御部２８に送る。
【００２３】
駆動回路３１はタイミング回路を含み、ＬＥＤアレイ３２およびＣＣＤイメージセンサ３３を駆動し、通帳２が搬送路４内に取り込まれたときにＬＥＤアレイ３２から照射した反射光線が、光学フィルタ３４およびレンズ３５を介してＣＣＤイメージセンサ３３で検知される。このＣＣＤイメージセンサ３３で検知した信号はアンプ３６によって増幅されると、Ａ／Ｄコンバータ３０でアナログデジタル変換してＲＡＭ２５に記憶させる。その後、制御部２３は、頁バーコード９に記録された情報と取引印字１０の印字済み行をＲＡＭ２５に記憶する。制御部２３は、ＲＡＭ２５に記憶された頁バーコード９に記録された情報と取引印字１０の印字済み行を示す情報を、上位通信Ｉ／Ｆおよび通信回線２７を介してＡＴＭ制御部２８に送る。
【００２４】
制御部２３が実行するソフトウェアは、図７Ｂに示すように、様々な種類の機種の通帳取扱装置１に共通するプログラムを有した基本ソフト２３１と、通帳取扱装置１の機種の種類に応じて異なるプログラム（固有のプログラム）を有したアプリケーション２３２とを含んで構成されている。以下に示す通帳２の頁替処理は、基本ソフト２３１に組み込まれるため、頁替処理を含むアプリケーション２３２を、通帳取扱装置１ごとに準備する必要がなくなる。
【００２５】
続いて、頁替機構部８が通帳２の頁替をする場合の頁替処理の処理手順について説明する。図８は、頁替する方向を判定して頁替する頁替処理の処理手順を示すフローチャートである。
【００２６】
図８に示すように、通帳取扱装置１の制御部２３は、ＡＴＭ制御部２８から何らかの指示（コマンド）を受け取るまで待機し（ステップＳ８０１）、上位通信Ｉ／Ｆ部２６が、通帳２への印字を完了させる旨の通知を受けたか否かを判定し（ステップＳ８０２）、その旨の通知を受けたと判定した場合（ステップＳ８０２；Ｙｅｓ）、処理を終了させる。なお、印字を完了させるか否かの判定は、ＡＴＭ制御部２８やセンタなどの上位機器が、挿入された通帳２の磁気情報、頁バーコードの示す情報、印字済み行などの情報から判断している。
【００２７】
一方、制御部２３は、その旨の通知を受けていないと判定した場合（ステップＳ８０２；Ｎｏ）、通帳挿入口３に挿入された通帳２が吸入されることを示す吸入コマンドを、ＡＴＭ制御部２８から受け取ったか否かを判定する（ステップＳ８０３）。
【００２８】
制御部２３は、ＡＴＭ制御部２８から吸入コマンドを受け取ったと判定した場合（ステップＳ８０３；Ｙｅｓ）、通常頁替フラグをクリアし（ステップＳ８０４）、ステップＳ８０１に戻って待機する。この通常頁替フラグは、吸入された通帳２３の頁に入出金金額等の印字情報のすべてが印字され、通常の速度で頁替すべき状態にあるか否かを判定するために用いられるものであり、例えば、制御部２３内部のメモリ領域に記憶される。
【００２９】
一方、制御部２３は、ＡＴＭ制御部２８から吸入コマンドを受け取っていないと判定した場合（ステップＳ８０３；Ｎｏ）、さらに印字コマンドを受け取ったか否かを判定する（ステップＳ８０５）。そして、制御部２３は、印字コマンドを受け取ったと判定した場合（ステップＳ８０５；Ｙｅｓ）、上述した通常頁替フラグをセットし（ステップＳ８０６）、印字コマンドに従って印字情報を印字し（ステップＳ８０７）、ステップＳ８０１に戻って待機する。
【００３０】
制御部２３は、印字コマンドを受け取っていないと判定した場合（ステップＳ８０５；Ｎｏ）、さらに、順方向に頁替するコマンド（順頁替コマンド）を受け取ったか否かを判定する（ステップＳ８０８）。そして、制御部２３は、順頁替コマンドを受け取ったと判定した場合（ステップＳ８０８；Ｙｅｓ）、さらに、通常頁替フラグがセットされているか、すなわち、頁への印字情報の印字が完了した状態であるか否かを判定し（ステップＳ８０９）、通常頁替フラグがセットされていると判定した場合（ステップＳ８０９；Ｙｅｓ）、正しい頁で取引印字が行われ、頁替すべき状態にあるものと判定し、順頁替ローラ１３の回転速度を通常速度に設定し（ステップＳ８１０）、設定した通常の速度で頁替動作する（ステップＳ８１２）。
【００３１】
一方、制御部２３は、通常頁替フラグがセットされていないと判定した場合（ステップＳ８０９；Ｎｏ）、例えば、頁が捲られておらず（頁の空捲り）現在の頁が印字対象の頁ではない等の何らかの理由により通常の速度で頁替すべき状態にないと判定し、順頁替ローラ１３の回転速度を異常用の速度に設定し（ステップＳ８１１）、設定した異常用の速度で頁替動作する（ステップＳ８１２）。
【００３２】
そして、制御部２３は、ステップＳ８１２が終了すると、頁が捲られたものとして、通常頁替フラグをクリアし（ステップＳ８１３）、ステップＳ８０１に戻って待機する。ここで通常頁替フラグをクリアする理由は、ステップＳ８１０またはＳ８１１において行われた頁替が正しく行われたか否かを判定するためである。すなわち、ステップＳ８１３において通常頁替フラグがクリアされた状態で頁替する場合は、制御部２３はステップＳ８０９における判定で、頁捲りが異常であったと判定することとなる。
【００３３】
ステップＳ８０８において、制御部２３は、順頁替コマンドを受け取っていないと判定した場合（ステップＳ８０８；Ｎｏ）、さらに、逆頁替コマンドを受け取ったか否かを判定し（ステップＳ８１４）、逆頁替コマンドを受け取ったと判定した場合（ステップＳ８１４；Ｙｅｓ）、例えば、２枚捲りであると判定し、逆頁替ローラ１４の回転速度を異常用の速度に設定し（ステップＳ８１５）、設定した異常用の速度で頁替動作する（ステップＳ８１６）。その後、制御部２３は、通常頁替フラグをクリアし（ステップＳ８１７）、ステップＳ８０１に戻って待機する。なお、ステップＳ８１５において逆頁替ローラ１４の回転速度を異常用の速度に設定する理由は、通常、逆頁替えコマンドを受け取る場合とは、例えば、前回の頁替えが期待に反して複数枚を同時に捲ってしまった場合等に発行され、頁捲りが正常ではない状態となっているためである。
【００３４】
一方、制御部２３は、逆頁替コマンドを受け取っていないと判定した場合（ステップＳ８１４；Ｎｏ）、処理を行わずにステップＳ８０１に戻ってそのまま待機する。そして、ステップＳ８０２において、ＡＴＭ制御部２８から印字を完了させる旨の通知を受けると、図８に示した全ての処理が終了する。
【００３５】
このように、ＡＴＭ制御部２８や銀行の計算センタ等の上位装置から、頁捲りのリトライ捲り指示が無くとも適切な捲り方式を通帳取引装置側で自動的に設定し、設定した内容に従って頁捲りを実行することが出来る。よって、従来のように上位側のプログラムによって、通帳の頁替えに関する個別の指示（通常の頁捲りまたはリトライによる頁捲り）という指示を受けることなく通帳の頁替えを行うので、複雑なソフトウェアの変更やハードウェアの設定をする必要とすることなく頁捲りに対するリトライ制御が可能となる。また、頁替えの信頼性が高い通帳取扱装置を安価に提供でき顧客の利便性が向上する。
【００３６】
さらに、本実施の形態においては、頁捲りが正しく行われていない場合、頁替ローラの回転駆動部の動作速度を低速に変化させるので、頁替ローラと通帳との摩擦力を向上することができ、確実に頁替処理を実行することができる。
【００３７】
なお、上述した実施の形態においては、通帳取引装置１の内部の制御部２３が基本ソフト２３１を実行することによって頁替処理を行うこととしたが、センタ側のプログラム（基本ソフト）で図８に示した頁替コマンドの判定や通常頁替フラグの判定等を行う処理（実際に頁替する処理以外の処理）を実行し、その結果のみを通帳取引装置１に送り、通帳取引装置１側では、受け取ったコマンドに従って単純に頁替させることも可能である。この場合も、上述したように、センタ側の基本ソフトに実際に頁替する処理以外の処理が組み込まれるため、センタ側のプログラムの通帳頁替え処理が平易になり、ソフトウェアの保守性を向上することが出来る。
【００３８】
なお、通帳の繰越を行う場合には２冊目の通帳の１ページ目を捲る必要があることから、処理中の通帳２の頁をあわせると、正常な処理であっても２頁捲られることとなり、図８に示した頁替処理では、ステップＳ８０８またはステップＳ８１４において、必ず異常用の頁替速度で頁が捲られてしまう。したがって、図９のステップＳ９０１〜Ｓ９０３に示すように、ＡＴＭ制御部２８から通帳繰越のコマンドを受けた場合、捲ろうとする頁数が２頁以上であるか否かを確認した上で頁捲りを行うこととしてもよい。このような確認を行うことによって、通帳繰越時に必ず頁捲りが異常用の頁替速度に設定され、処理の遅延を招くことを防止することが出来る。
【００３９】
本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせることも可能である。
【符号の説明】
【００４０】
１…通帳取扱装置
２…通帳
３…通帳挿入口
４…搬送路
５…磁気ヘッド
６…印字行読み取りセンサ
７…印字ヘッド
８…頁替え機構部
９…頁バーコード
１０…取引印字
１１…磁気ストライプ
１２…捲り位置基準センサ
１３…順頁替えローラ
１４…逆頁替えローラ
１５…可動搬送ガイド（閉位置）
１６…可動搬送ガイド（開位置）
１７…搬送ローラ１
１８…搬送ローラ２
１９…頁替え搬送距離
２０…通帳の中紙
２１…製頁替えローラ回転方向
２２…製頁替えローラ凹部
２３…ＣＰＵ（制御部）
２３１…基本ソフト
２３２…アプリケーション
２４…ＲＯＭ
２５…ＲＡＭ
２６…上位通信Ｉ／Ｆ
２７…通信回線
２８…ＡＴＭ制御部
２９…アンプ（磁気ヘッド用）
３０…ＡＤコンバータ
３１…駆動回路
３２…ＬＥＤアレイ
３３…ＣＣＤイメージセンサ
３４…光学フィルタ
３５…レンズ
３６…アンプ（ＣＣＤイメージセンサ用）。
【図１】
0005271996.tif 000002
【図２Ａ】
0005271996.tif 000003
【図２Ｂ】
0005271996.tif 000004
【図３】
0005271996.tif 000005
【図４】
0005271996.tif 000006
【図５】
0005271996.tif 000007
【図６】
0005271996.tif 000008
【図７Ａ】
0005271996.tif 000009
【図７Ｂ】
0005271996.tif 000010
【図８】
0005271996.tif 000011
【図９】
0005271996.tif 000012